(57)【特許請求の範囲】
【請求項１】
第１の屋根面と、該第１の屋根面とは異なる第２の屋根面とが交差する棟を有した屋根構造であって、
前記第１の屋根面に配された屋根葺材の棟側の端縁を覆って該棟に沿ってのびる第１棟カバーと、
前記第２の屋根面に配された屋根葺材の棟側の端縁を覆って該棟に沿ってのびる第２棟カバーとが設けられ、
前記第１棟カバーと、前記第２棟カバーとは、それぞれ独立して取り外し可能に各屋根面に固着されており、
前記第１棟カバーと前記第２棟カバーとの間には隙間が設けられていることを特徴とする屋根構造。
【請求項２】
前記第１棟カバー及び前記第２棟カバーの下方には、前記第１棟カバーと前記第２棟カバーとの間から浸入する雨を前記棟に沿って案内する樋状部材が設けられる請求項１に記載の屋根構造。
【請求項３】
前記第１の屋根面おける野地板から前記屋根葺材の棟側の端縁までの最大高さは、前記第２の屋根面における野地板から前記屋根葺材の棟側の端縁までの最大高さと異なる請求項１又は２に記載の屋根構造。
【請求項４】
前記棟と直角な断面において、前記棟から前記第１の屋根面の前記屋根葺材の棟側の端縁までの最小長さは、前記棟から前記第２の屋根面の前記屋根葺材の棟側の端縁までの最小長さと異なる請求項１乃至３のいずれかに記載の屋根構造。
【請求項５】
前記第１の屋根面の前記屋根葺材は瓦であり、前記第２の屋根面の前記屋根葺材が太陽光発電パネルである請求項１乃至４のいずれかに記載の屋根構造。
【請求項６】
前記第１棟カバーは、第１の支持材を用いて前記屋根面に固着され、
前記第１の支持材は、下端部が前記第２の屋根面の野地板に固着されるとともに上端部が前記棟を越えて第１の屋根面上に位置して前記第１棟カバーを支持し、
前記第２棟カバーは、第２の支持材を用いて前記屋根面に固着され、
前記第２の支持材は、下端部が前記第１の屋根面の野地板に固着されるとともに上端部が前記棟を越えて第２の屋根面上に位置して前記第２棟カバーを支持し、
前記第１の支持材と、前記第２の支持材とが、前記棟に沿って交互に配置されている請求項１乃至５のいずれかに記載の屋根構造。
【請求項７】
前記第１の支持材は、前記第２の屋根面の前記野地板に沿って位置する基部と、該基部に連なりかつ前記第１の屋根面上で水平にのびる水平部と、該水平部から上方にのびる立片部と、該立片部の上端で折れ曲がりかつ下地材を介して前記第１棟カバーに固着される支持部とを有し、
前記第２の支持材は、前記第１の屋根面の前記野地板に沿って位置する基部と、該基部に連なりかつ前記第２の屋根面上で水平にのびる水平部と、該水平部から上方にのびる立片部と、該立片部の上端で折れ曲がりかつ下地材を介して前記第２棟カバーに固着される支持部とを有し、
前記第１の支持材と前記第２の支持材との間かつ前記水平部の上面に前記棟に沿ってのびる下地棟材が支持され、
該下地棟材の上に、前記第１棟カバーと前記第２棟カバーとの間から浸入する雨を前記棟に沿って案内する樋状部材が設けられている請求項６記載の屋根構造。
【請求項８】
第１の屋根面と、該第１の屋根面とは異なる第２の屋根面とが交差する棟を有した屋根構造であって、
前記第１の屋根面に配された屋根葺材の棟側の端縁を覆って該棟に沿ってのびる第１棟カバーと、
前記第２の屋根面に配された屋根葺材の棟側の端縁を覆って該棟に沿ってのびる第２棟カバーとが設けられ、
前記第１棟カバーと、前記第２棟カバーとは、それぞれ独立して取り外し可能に各屋根面に固着されており、
前記第１棟カバーは、第１の支持材を用いて前記屋根面に固着され、
前記第１の支持材は、下端部が前記第２の屋根面の野地板に固着されるとともに上端部が前記棟を越えて第１の屋根面上に位置して前記第１棟カバーを支持し、
前記第２棟カバーは、第２の支持材を用いて前記屋根面に固着され、
前記第２の支持材は、下端部が前記第１の屋根面の野地板に固着されるとともに上端部が前記棟を越えて第２の屋根面上に位置して前記第２棟カバーを支持し、
前記第１の支持材と、前記第２の支持材とが、前記棟に沿って交互に配置されていることを特徴とする屋根構造。
【発明の詳細な説明】
【技術分野】
【０００１】
本発明は、施工性及びメンテナンス性を向上しうる屋根構造に関する。
【背景技術】
【０００２】
図６に示されるように、第１の屋根面ａ１と、該第１の屋根面ａ１とは異なる第２の屋根面ａ２とが交差する棟ｂを有する屋根構造（例えば、寄棟屋根又は入母屋屋根）が一般的に知られている。このような屋根構造の棟ｂには、各屋根面ａ１、ａ２に配された屋根葺材ｃ１、ｃ２の棟ｂ側の端縁ｅ１、ｅ２を覆って、棟ｂに沿ってのびる棟カバーｄが配置されている。
【０００３】
前記棟カバーｄは、例えば、第１の屋根面ａ１の屋根葺材ｃ１側を覆う第１棟カバー部ｆ１と、第２の屋根面ａ２の屋根葺材ｃ２側を覆う第２棟カバー部ｆ２とを含む。これらの第１棟カバー部ｆ１及び第２棟カバー部ｆ２は一体に形成され、第１の屋根面ａ１及び第２の屋根面ａ２にそれぞれ固着されている。関連する技術としては、次のものがある。
【先行技術文献】
【特許文献】
【０００４】
【特許文献１】特開２０１１−３２８５４号公報
【発明の概要】
【発明が解決しようとする課題】
【０００５】
上記のような棟カバーｄは、第１棟カバー部ｆ１及び第２棟カバー部ｆ２が一体に形成されているため、第１棟カバー部ｆ１及び第２棟カバー部ｆ２の双方を、第１の屋根面ａ１及び第２の屋根面ａ２に、同時に取り付けなければならない。このため、棟カバーｄの取り付け作業の自由度に欠ける。
【０００６】
また、例えば、第１の屋根面ａ１又は第２の屋根面ａ２の一方側のみを修理する場合、第１棟カバー部ｆ１及び第２棟カバー部ｆ２の双方を、屋根面から取り外す必要があった。このため、上述のような屋根構造では、メンテンナンス性が低下するという問題もあった。
【０００７】
本発明は、以上のような実状に鑑み案出されたもので、第１の屋根面に配された第１棟カバーと、第２の屋根面に配された第２棟カバーとを、それぞれ独立して取り外し可能に屋根面に固着することを基本として、取付作業性及びメンテナンス性を向上しうる屋根構造を提供することを主たる目的としている。
【課題を解決するための手段】
【０００８】
本発明のうち請求項１記載の発明は、第１の屋根面と、該第１の屋根面とは異なる第２の屋根面とが交差する棟を有した屋根構造であって、前記第１の屋根面に配された屋根葺材の棟側の端縁を覆って該棟に沿ってのびる第１棟カバーと、前記第２の屋根面に配された屋根葺材の棟側の端縁を覆って該棟に沿ってのびる第２棟カバーとが設けられ、前記第１棟カバーと、前記第２棟カバーとは、それぞれ独立して取り外し可能に各屋根面に固着されており、前記第１棟カバーと前記第２棟カバーとの間には隙間が設けられていることを特徴とする。
【０００９】
また、請求項２記載の発明は、前記第１棟カバー及び前記第２棟カバーの下方には、前記第１棟カバーと前記第２棟カバーとの間から浸入する雨を前記棟に沿って案内する樋状部材が設けられる請求項１に記載の屋根構造である。
【００１１】
また、請求項３記載の発明は、前記第１の屋根面おける野地板から前記屋根葺材の棟側の端縁までの最大高さは、前記第２の屋根面における野地板から前記屋根葺材の棟側の端縁までの最大高さと異なる請求項１又は２に記載の屋根構造である。
【００１２】
また、請求項４記載の発明は、前記棟と直角な断面において、前記棟から前記第１の屋根面の前記屋根葺材の棟側の端縁までの最小長さは、前記棟から前記第２の屋根面の前記屋根葺材の棟側の端縁までの最小長さと異なる請求項１乃至３のいずれかに記載の屋根構造である。
【００１３】
また、請求項５記載の発明は、前記第１の屋根面の前記屋根葺材は瓦であり、前記第２の屋根面の前記屋根葺材が太陽光発電パネルである請求項１乃至４のいずれかに記載の屋根構造である。
【００１４】
また、請求項６記載の発明は、前記第１棟カバーは、第１の支持材を用いて前記屋根面に固着され、前記第１の支持材は、下端部が前記第２の屋根面の野地板に固着されるとともに上端部が前記棟を越えて第１の屋根面上に位置して前記第１棟カバーを支持し、前記第２棟カバーは、第２の支持材を用いて前記屋根面に固着され、前記第２の支持材は、下端部が前記第１の屋根面の野地板に固着されるとともに上端部が前記棟を越えて第２の屋根面上に位置して前記第２棟カバーを支持し、前記第１の支持材と、前記第２の支持材とが、前記棟に沿って交互に配置されている請求項１乃至５のいずれかに記載の屋根構造である。
【００１５】
また、請求項７記載の発明は、前記第１の支持材は、前記第２の屋根面の前記野地板に沿って位置する基部と、該基部に連なりかつ前記第１の屋根面上で水平にのびる水平部と、該水平部から上方にのびる立片部と、該立片部の上端で折れ曲がりかつ下地材を介して前記第１棟カバーに固着される支持部とを有し、前記第２の支持材は、前記第１の屋根面の前記野地板に沿って位置する基部と、該基部に連なりかつ前記第２の屋根面上で水平にのびる水平部と、該水平部から上方にのびる立片部と、該立片部の上端で折れ曲がりかつ下地材を介して前記第２棟カバーに固着される支持部とを有し、前記第１の支持材と前記第２の支持材との間かつ前記水平部の上面に前記棟に沿ってのびる下地棟材が支持され、該下地棟材の上に、前記第１棟カバーと前記第２棟カバーとの間から浸入する雨を前記棟に沿って案内する樋状部材が設けられている請求項６記載の屋根構造である。また、請求項８記載の発明は、第１の屋根面と、該第１の屋根面とは異なる第２の屋根面とが交差する棟を有した屋根構造であって、前記第１の屋根面に配された屋根葺材の棟側の端縁を覆って該棟に沿ってのびる第１棟カバーと、前記第２の屋根面に配された屋根葺材の棟側の端縁を覆って該棟に沿ってのびる第２棟カバーとが設けられ、前記第１棟カバーと、前記第２棟カバーとは、それぞれ独立して取り外し可能に各屋根面に固着されており、前記第１棟カバーは、第１の支持材を用いて前記屋根面に固着され、前記第１の支持材は、下端部が前記第２の屋根面の野地板に固着されるとともに上端部が前記棟を越えて第１の屋根面上に位置して前記第１棟カバーを支持し、前記第２棟カバーは、第２の支持材を用いて前記屋根面に固着され、前記第２の支持材は、下端部が前記第１の屋根面の野地板に固着されるとともに上端部が前記棟を越えて第２の屋根面上に位置して前記第２棟カバーを支持し、前記第１の支持材と、前記第２の支持材とが、前記棟に沿って交互に配置されていることを特徴とする。
【発明の効果】
【００１６】
本発明の屋根構造は、第１の屋根面に配された第１棟カバーと、第２の屋根面に配された第２棟カバーとが、それぞれ独立して取り外し可能に屋根面に固着されている。このような屋根構造は、第１の屋根面及び第２の屋根面に、第１棟カバー及び第２棟カバーを独立して固着することができる。このため、第１の屋根面と第２の屋根面とを、夫々独立して仕上げることができ、取付作業性の自由度が向上し、ひいては施工性が向上する。
【００１７】
さらに、本発明の屋根構造は、第１棟カバー又は第２棟カバーの一方のみを取り外して、第１の屋根面又は第２の屋根面を修理することができるため、メンテナンス性が向上する。
【図面の簡単な説明】
【００１８】
【図１】本発明の屋根構造が用いられた住宅の斜視図である。
【図２】本実施形態の屋根構造の隅棟付近の部分斜視図である。
【図３】図１のＡ−Ａ断面図である。
【図４】図３の分解図である。
【図５】他の実施形態の屋根構造の断面図である。
【図６】従来の屋根構造の部分断面図である。
【発明を実施するための形態】
【００１９】
以下、本発明の実施の一形態が図面に基づき説明される。
図１示されるように、本発明の屋根構造は、例えば、住宅等の建物１の屋根２に採用することができる。この屋根２は、例えば、４つの屋根面３を有する寄棟屋根である場合が示される。
【００２０】
前記屋根構造は、第１の屋根面３Ａと、該第１の屋根面３Ａとは異なる第２の屋根面３Ｂとが交差する棟４を有する。この棟４は、屋根２の頂部で水平にのびる大棟４Ａと、該大棟４Ａの両端から屋根２の隅に向かってのびる隅棟４Ｂとを含む。
【００２１】
図２及び図３には、第１の屋根面３Ａが東側を向き、かつ第２の屋根面３Ｂが南側を向くとともに、棟４が隅棟４Ｂである場合が示される。図３に示されるように、これらの第１の屋根面３Ａ及び第２の屋根面３Ｂには、垂木５等で支持された野地板６と、該野地板６の上に配置される屋根葺材７とが設けられている。
【００２２】
前記野地板６は、例えば、強度の高い構造用合板からなり、垂木５の勾配に沿って固着されている。また、野地板６の上面には、例えば、防水性に優れるアスファルトルーフィング（図示省略）が配されるのが望ましい。
【００２３】
本実施形態では、第１の屋根面３Ａ側の屋根葺材７が瓦１１であり、かつ、第２の屋根面３Ｂ側の屋根葺材７が太陽光発電パネル１２である。このように、屋根葺材７は、各屋根面３Ａ、３Ｂで夫々異なるため、第２の屋根面３Ｂの野地板６から太陽光発電パネル１２の隅棟側の端縁７ｉまでの最大高さＨ２が、第１の屋根面３Ａの野地板６から瓦１１の隅棟側の端縁７ｉまでの最大高さＨ１よりも大に設定される。
【００２４】
前記瓦１１は、図１に示されるように、第１の屋根面３Ａにおいて、屋根の流れ方向Ｆ及び該屋根の流れ方向Ｆと交わる向き（水平方向）に複数個配置されている。本実施形態の瓦１１は、図３に示されるように、平面視略矩形の板状に形成された基部１１ａと、基部１１ａの隅棟側の下面から小長さで突出する係止部１１ｂと、基部１１ａの軒側（隅棟側と反対方向）の下面から小長さで突出する下突部１１ｃとが設けられている。この瓦１１は、第１の屋根面３Ａの野地板６の上に固着される横桟１３に釘等で固定されている。
【００２５】
本実施形態の太陽光発電パネル１２は、第２の屋根面３Ｂの野地板６と平行にのびるフレーム枠１７と、該フレーム枠１７の上側で支持される太陽光電池モジュール１８から構成されている。この太陽光発電パネル１２は、第２の屋根面３Ｂの野地板６に金属板８を介して固定された支持金具１６によって固定された支持金具１６によって固定されている。
【００２６】
本実施形態のフレーム枠１７は、太陽光電池モジュール１８を支持する本体部１７Ａと、本体部１７Ａから隅棟側に延びる延長部１７Ｂとを含んでいる。また、フレーム枠１７には、延長部１７Ｂの上面に固着される延長カバー１９が設けられる。
【００２７】
前記延長カバー１９は、延長部１７Ｂの上面に沿ってのびる基部２０と、該基部２０の隅棟側の端部から上方へのびる立片部２１とを含んでいる。また、延長カバー１９は、図２に示されるように、隅棟４Ｂに沿って上下に連続して配置されている。このような延長カバー１９は、太陽光電池モジュール１８と隅棟４Ｂとの間に形成される隙間を覆って、野地板６に雨水が浸入するのを防ぐことができる。
【００２８】
本実施形態では、瓦１１の隅棟側の端縁７ｉを覆う第１棟カバー２５と、太陽光発電パネル１２の隅棟側の端縁７ｉを覆う第２棟カバー２６とが設けられている。図２に示されるように、これらの第１棟カバー２５及び第２棟カバー２６は、隅棟４Ｂに沿って上下にのびている。また、第１棟カバー２５及び第２棟カバー２６は、隅棟４Ｂの傾斜方向に交互に配置される第１の支持材２７及び第２の支持材２８によって野地板６に固着されている。
【００２９】
本実施形態の第１棟カバー２５は、図３、図４に示されるように、隅棟側から軒側に向かって下方に傾斜してのびる基部３１と、該基部３１の隅棟側の内縁に連なって下方に折れ曲がる第１垂下部３２とを含み、本実施形態では板金からなる。この第１垂下部３２は、隅棟４Ｂを第２の屋根面３Ｂ側に越えることなく終端している。
【００３０】
さらに、第１棟カバー２５は、基部３１の軒側の外縁から瓦１１の上面に向かってのびる第２垂下部３３と、該第２垂下部３３の下端から軒側に折れ曲がる軒側端部３４とを含んでいる。この軒側端部３４の下面と、瓦１１の上面との間には、水密材３５が設けられて雨仕舞されている。
【００３１】
また、第１棟カバー２５は、図４に示されるように、第１の支持材２７に、下地材５２を介して取り外し可能に固着される。この第１棟カバー２５の固着には、基部３１から下地材５２に挿通される釘等の固着具３６が用いられるのが望ましい。
【００３２】
このような第１棟カバー２５は、図３に示されるように、瓦１１の端縁７ｉを確実に覆うとともに、基部３１の傾斜によって、該基部３１の上面の雨水を瓦１１側に円滑に案内することができる。さらに、軒側端部３４の下面と瓦１１の上面とが、水密材３５を介して連結されているため、第１棟カバー２５と瓦１１との間に隙間が形成されるのを抑制することができる。従って、第１棟カバー２５は、防水性及び美観性を向上することができる。
【００３３】
本実施形態の第２棟カバー２６は、図４に示されるように、基部４１及び第１垂下部４２を含み、板金からなる。この第２棟カバー２６は、第２の支持材２８に、下地材６０を介して取り外し可能に固着される。この第２棟カバー２６の固着には、第１棟カバー２５と同様に、釘等の固着具４３（図４に示す）が用いられるのが望ましい。
【００３４】
前記基部４１は、第２の屋根面３Ｂの野地板６に沿った傾斜でのび、その軒側の外縁４１ｏが、太陽光発電パネル１２の端縁７ｉよりも軒側に配置されている。図４に示されるように、隅棟４Ｂと直角な断面において、基部４１の長さＬ２が、第１棟カバー２５の基部３１の長さＬ１よりも小に設定されている。また、第１垂下部４２は、隅棟４Ｂを第１の屋根面３Ａ側に越えることなく終端している。
【００３５】
このような第２棟カバー２６は、図３に示されるように、太陽光発電パネル１２の端縁７ｉを確実に覆う。また、第２棟カバー２６は、基部４１の傾斜によって、該基部４１の上面の雨水を太陽光発電パネル１２側に円滑に案内することができる。従って、第２棟カバー２６は、防水性及び美観性を向上することができる。
【００３６】
しかも、本実施形態の第２棟カバー２６には、第１棟カバー２５の第２垂下部３３及び軒側端部３４が設けられていない。これにより、太陽光発電パネル１２の前記最大高さＨ２が、瓦１１の前記最大高さＨ１よりも大であっても、第２棟カバー２６は、太陽光発電パネル１２に干渉するのを防ぎつつ、太陽光発電パネル１２の隅棟側の端縁７ｉを確実に覆うことができる。
【００３７】
このように、本発明の屋根構造は、第１棟カバー２５と第２棟カバー２６とが別部材として形成されているため、第１の屋根面３Ａ及び第２の屋根面３Ｂに独立して固着することができる。従って、本発明では、第１の屋根面３Ａと第２の屋根面３Ｂとを夫々個別に仕上げることができるため、取付作業性の自由度が向上し、ひいては施工性が向上する。とりわけ、本実施形態のように、各屋根面３Ａ、３Ｂの屋根葺材７が、瓦１１と太陽光発電パネル１２とで異なり、かつ夫々の施工開始日及び施工終了日が大きく異なる場合には、施工性を大幅に向上することができる。
【００３８】
また、瓦１１と太陽光発電パネル１２とでは、最大高さＨ１、Ｈ２等が異なるため、第１棟カバー２５及び第２棟カバー２６を一体として形成すると、その形状が複雑となり、板金では製造が困難となる。しかし、本実施形態では、第１棟カバー２５と第２棟カバー２６とが別部材として形成されるため、屋根葺材７に応じた形状に夫々作成することができ、各棟カバー２５、２６の生産性及び屋根葺材７との間の水密性を向上しうる。
【００３９】
また、本発明の屋根構造は、第１棟カバー２５又は第２棟カバー２６の一方のみを取り外して、第１の屋根面３Ａ又は第２の屋根面３Ｂを修理することができるため、メンテナンス性が向上する。
【００４０】
また、第１棟カバー２５の第１垂下部３２と、第２棟カバー２６の第１垂下部４２との間には、隙間（図示省略）が設けられてもよい。このような隙間は、例えば、第１棟カバー２５及び第２棟カバー２６が熱で膨張しても、互いに干渉するのを防ぐことができる。  
【００４１】
図２及び図４に示されるように、前記第１の支持材２７は、第２の屋根面３Ｂの野地板６に固着される下端部２７Ａと、該下端部２７Ａに連なりかつ第１の屋根面３Ａ上で第１棟カバー２５が固着される上端部２７Ｂとを含んで構成されている。
【００４２】
第１の支持材２７の下端部２７Ａは、第２の屋根面３Ｂの野地板６に沿って配置される基部４６と、該基部４６に連なりかつ隅棟４Ｂを越えて第１の屋根面３Ａ上で水平にのびる水平部４７とを含んでいる。これにより、第１の支持材２７の下端部２７Ａは、隅棟４Ｂを跨って、各屋根面３Ａ、３Ｂの両側に配置されている。また、基部４６には、該基部４６から第２の屋根面３Ｂの野地板６に向かって、釘等の固着具５０が挿通される。これにより、下端部２７Ａは、第１棟カバー２５の荷重を安定して支持することができる。
【００４３】
第１の支持材２７の上端部２７Ｂは、水平部４７から上方にのびる立片部４８と、該立片部４８の上端４８ｕで軒側に折れ曲がる支持部４９とを含んでいる。これにより、第１支持材２７は、断面略逆Ｚ状に形成されている。
【００４４】
第１の支持材２７の支持部４９は、第１棟カバー２５の基部３１と平行にのびている。また、支持部４９の軒側の端部４９ｏは、第１棟カバー２５の第２垂下部３３に至ることなく終端している。これにより、支持部４９は、第２垂下部３３への干渉を防ぎつつ、第１棟カバー２５を安定して支持することができる。
【００４５】
さらに、第１の支持材２７の支持部４９の上面には、隅棟４Ｂに沿って上下にのびる前記下地材５２が配置されている。この下地材５２は、例えば、構造用合板からなり、ビス等の固着具５３によって、予め支持部４９の上面に固定されている。また、下地材５２は、隅棟側の端部５２ｉが、第１棟カバー２５の第１垂下部３２側に配置されるとともに、軒側の端部５２ｏが、第２垂下部３３側に配置される。
【００４６】
このような下地材５２は、第１棟カバー２５の基部３１の略全域に亘って配置されるため、第１棟カバー２５と第１の支持材２７との接触を防ぎつつ、該第１棟カバー２５を安定して支持することができる。
【００４７】
前記第２の支持材２８は、第１の屋根面３Ａの野地板６に固着される下端部２８Ａと、該下端部２８Ａに連なりかつ第２の屋根面３Ｂ上で第２棟カバー２６が固着される上端部２８Ｂとを含んで構成されている。
【００４８】
第２の支持材２８の下端部２８Ａは、第１の屋根面３Ａの野地板６に沿って配置される基部５５と、該基部５５に連なり、かつ隅棟４Ｂを越えて第２の屋根面３Ｂ上で水平にのびる水平部５６とを含んでいる。これにより、下端部２８Ａは、第１の支持材２７と同様に、隅棟４Ｂを跨って各屋根面３Ａ、３Ｂの両側に配置されるため、第２棟カバー２６の荷重を安定して支持することができる。
【００４９】
第２の支持材２８の上端部２８Ｂは、水平部５６から上方にのびる立片部５７と、該立片部５７の上端５７ｕで隅棟側に折れ曲がる支持部５８とを含んでいる。これにより、第２の支持材２８は、断面逆略コ状に形成されている。また、第２の支持材２８は、第１の屋根面３Ａの野地板６に挿通される釘等の固着具５９によって固定されている。
【００５０】
第２の支持材２８の支持部５８は、第２棟カバー２６の基部４１と平行にのび、かつその隅棟側の端部５８ｉが、第２棟カバー２６の第１垂下部４２に至ることなく終端している。このような支持部５８は、立片部５７の上端５７ｕから隅棟側にのびるため、軒側に配置される太陽光発電パネル１２への干渉を確実に防ぎつつ、第２棟カバー２５を安定して支持することができる。
【００５１】
さらに、第２の支持材２８の支持部５８の上面には、前記下地材６０が配置されている。本実施形態の下地材６０は、隅棟側の端部６０ｉが、第２棟カバー２６の第１垂下部４２側に配置される。また、軒側の端部６０ｏは、第２の支持材２８の立片部５７の上端５７ｕ付近に配置される。
【００５２】
このように、下地材６０は、隅棟４Ｂと直角な断面において、支持部５８と略同一の長さに形成されるため、太陽光発電パネル１２への干渉や、第１棟カバー２５と第１の支持材２７との接触を防ぎつつ、第２棟カバー２５を安定して支持することができる。
【００５３】
本実施形態では、第１の支持材２７と第２の支持材２８との間に、隅棟４Ｂに沿ってのびる下地棟材６３が支持される。この下地棟材６３は、断面略矩形の角材からなり、その下面が各水平部４７、５６の上面に載置され、かつ両側面が各立片部４８、５７に狭持されている。このような下地棟材６３は、隅棟４Ｂにおいて、第１の支持材２７及び第２の支持材２８を補強することができるため、第１棟カバー２５及び第２棟カバー２６を安定して支持することができる。
【００５４】
さらに、本実施形態では、下地棟材６３の上、かつ第１棟カバー２５及び第２棟カバー２６の各第１垂下部３２、４２の下方に、隅棟４Ｂに沿ってのびる樋状部材６４が設けられている。この樋状部材６４は、例えば、下地棟材６３の上面に配置される底部６４ｄと、該底部６４ｄの両端から上方に立ち上がる側部６４ｓ、６４ｓとを含む溝型をなしている。また、樋状部材６４は、側部６４ｓ、６４ｓの上端を係止して下地棟材６３まで延びる係止部６５（図２に示す）が設けられている。この係止部６５は、その下端側が、下地棟材６３に固定されることにより、樋状部材６４を該下地棟材６３の上に、安定して固定することができる。
【００５５】
このような樋状部材６４は、第１棟カバー２５及び第２棟カバー２６の各第１垂下部３２、４２の間から浸入する雨を、隅棟４Ｂに沿って下方に案内することができる。また、樋状部材６４は、側部６４ｓ、６４ｓが、第１の支持材２７及び第２の支持材２８の立片部４８、５７を補強することができるため、各支持材２７、２８が第１棟カバー２５及び第２棟カバー２６を安定して支持するのに役立つ。
【００５６】
本実施形態では、第１の屋根面３Ａの屋根葺材７が瓦１１であり、かつ第２の屋根面３Ｂの屋根葺材７が太陽光発電パネル１２である場合が例示されたが、このような態様に限定されるわけではない。例えば、各屋根面３Ａ、３Ｂの各屋根葺材７、７が、瓦１１、１１のみから構成されても良いし、太陽光発電パネル１２、１２のみから構成されてもよい。
【００５７】
図５には、本発明の他の実施形態が示される。この実施形態では、第１の屋根面３の屋根葺材７が、太陽光発電パネル（以下、単に「第１の太陽光発電パネル」ということがある）１２Ａからなり、かつ第２の屋根面３の屋根葺材７が、太陽光発電パネル（以下、単に「第２の太陽光発電パネル」ということがある）１２Ａからなる場合が示される。この実施形態では、隅棟４Ｂと直角な断面において、該隅棟４Ｂから第１の太陽光発電パネル１２Ａの端縁７ｉまでの最小長さＬ３が、該隅棟４Ｂから第２の太陽光発電パネル１２Ｂの端縁７ｉまでの最小長さＬ４よりも大に設定されている。
【００５８】
また、本実施形態の第１棟カバー２５は、第２棟カバー２６と同様に、基部３１及び垂下部３２からなり、図３に示した前実施形態の垂下部３３及び軒側端部３４が含まれていない。さらに、図５に示されるように、基部３１の軒側の外縁３１ｏは、第１の太陽光発電パネル１２Ａの端縁７ｉよりも軒側に配置されている。
【００５９】
このように、第１の太陽光発電パネル１２Ａの前記最小長さＬ３が、第２の太陽光発電パネル１２Ｂの前記最小長さＬ４と異なる場合であっても、個々に応じた第１棟カバー２５を取り付けることにより、該第１の太陽光発電パネル１２Ａの端縁７ｉを確実に覆うことができる。
【００６０】
本実施形態では、第１棟カバー２５及び第２棟カバー２６が、隅棟４Ｂに設けられるものが示されたが、図１に示した大棟４Ａに設けられてもよい。これにより、大棟４Ａを挟んで両側に配置される屋根面３、３を夫々独立して、仕上げ又は修理することができ、施工性及びメンテナンス性を向上しうる。
【００６１】
以上、本発明の特に好ましい実施形態について詳述したが、本発明は図示の実施形態に限定されることなく、種々の態様に変形して実施しうる。
【符号の説明】
【００６２】
３Ａ    第１の屋根面
３Ｂ    第２の屋根面
４      棟
７      屋根葺材
２５      第１棟カバー
２６      第２棟カバー
【図１】
0005849013.tif 000002
【図２】
0005849013.tif 000003
【図３】
0005849013.tif 000004
【図４】
0005849013.tif 000005
【図５】
0005849013.tif 000006
【図６】
0005849013.tif 000007